(57)【要約】【課題】簡単な構成で内部の収納物を確認できると共に収納物が移動しないように確実に保持できる。【解決手段】折り曲げ状態において帯状片１８と内側保持片９の連出基部１３、帯状片１８と内側保持片９の突出先端部１４とをそれぞれ第５内折れ線１９、第６内折れ線２０で内側に折り曲げる。連出基部１３と連続する凸片又は凹片１６を第１側片１の内面に沿わせ且つ突出先端部１４と連続する凹片１６又は凸片１５を第２側片３の内面に沿わせ且つ帯状片１８と凸片１５と凹片１６とで角筒状梱包体１１の端部の開口部１０から見た状態で三角形状をなすように構成する。隣接する帯状片１８間に収納物２１の一部を嵌め込む。。【選択図】        図１
2004262493.tif 000002
【特許請求の範囲】
【請求項１】
第１側片の一側端縁に第１内折れ線を介して第２側片を内側に折り曲げ、第２側片の第１内折れ線と反対側の側端縁に第２内折れ線を介して第３側片を内側に折り曲げ、第３側片の第２内折れ線と反対側の側端縁に第３内折れ線を介して第４側片を内側に折り曲げ、第４側片の第３内折れ線と反対側の側端縁に第４内折れ線を介して内側保持片を内側に折り曲げて第１側片、第２側片、第３側片、第４側片により内部に収納物を収納するための両端部が開口部となった角筒状梱包体を構成すると共に該角筒状梱包体内に内装する収納物を内側保持片で保持するようにした梱包構造であって、
展開状態において内側保持片に第４内折れ線と直交する一対の切り込みを内側保持片の連出基部及び突出先端部を残して第４内折れ線と平行な方向に１対又は複数対設け、内側保持片の対となった切り込みと切り込みとに挟まれた部位を第４内折れ線に近い方と遠い方とに一方が凸片となり他方が凹片となるように分離するための中間切り込みを対となった切り込み間に形成し、切り込みと内側保持片の連出方向と直交する方向の側端との間、又は切り込みと内側保持片の連出方向と直交する方向の側端との間及び対となった切り込みと隣の対となった切り込みとの間を帯状片とし、該帯状片の両端部と内側保持片の連出基部及び内側保持片の突出先端部とを第５内折れ線、第６内折れ線を介して連続させた構成とし、
折り曲げ状態において帯状片と内側保持片の連出基部、帯状片と内側保持片の突出先端部とをそれぞれ第５内折れ線、第６内折れ線で内側に折り曲げて、連出基部と連続する凸片又は凹片を第１側片の内面に沿わせ且つ突出先端部と連続する凹片又は凸片を第２側片の内面に沿わせ且つ帯状片と凸片と凹片とで角筒状梱包体の端部の開口部から見た状態で三角形状をなすようにし、
隣接する帯状片間に収納物の一部を嵌め込んで成ることを特徴とする梱包構造。
【請求項２】
隣接する帯状片間に嵌め込まれた収納物の少なくとも一面を収納物の使用状態において外部に露出しない取付け面とし、収納物を隣接する帯状片間に嵌め込んだ状態で取付け面を角筒状梱包体の開口部側に対向させて成ることを特徴とする請求項１記載の梱包構造。
【請求項３】
角筒状梱包体の開口部において収納物を透明性の保護材により覆って成ることを特徴とする請求項１又は請求項２記載の梱包構造。
【請求項４】
収納物の開口部に対向する面に収納物の施工用部品や付属部品等の副収納物を収納して成ることを特徴とする請求項１乃至請求項３のいずれかに記載の梱包構造。
【請求項５】
収納物の開口部に対向する面に収納物の説明書や保証書のようなクッション性を有する紙製付帯物を配置して成ることを特徴とする請求項１乃至請求項４のいずれかに記載の梱包構造。
【請求項６】
収納物が照明器具であって、角筒状梱包体の開口部に照明器具の端子台又は配線器具部品又は電源線用口出し線を配置して成ることを特徴とする請求項１乃至請求項５のいずれかに記載の梱包構造。
【請求項７】
内側保持片に対となった切り込みを複数対設け、角筒状梱包体の展開状態において第１側片の第１内折れ線と反対側の側端縁から第１側片、第２側片、第３側片、第４側片、内側保持片の第３内折れ線と反対側の側端縁まで切断可能なミシン目を形成し、該ミシン目を対となった切り込みと隣の対となった切り込みとの間の帯状片の巾方向の中間に形成して成ることを特徴とする請求項１乃至請求項６のいずれかに記載の梱包構造。
【発明の詳細な説明】
【０００１】
【発明の属する技術分野】
本発明は、照明器具のような収納物を梱包するための梱包構造に関するものである。
【０００２】
【従来の技術】
従来から収納物を梱包するための梱包構造として、一枚のダンボールから構成した梱包箱の一面に内部の収納物が見えるような窓部を形成したものが知られている。（例えば、特許文献１、特許文献２参照）
ところが、このような一枚のダンボールから構成した梱包箱の一面に窓部を設けたものは収納物の確認が外部からできるが、収納物が梱包箱内で移動するという問題がある。このため、一枚のダンボールから構成した梱包箱内において収納物が移動しないように保持するには蓋片を設けて収納物が脱落しないようにすると共に別部材のパッドを入れて梱包箱内部で移動しないように保持する必要がある。
【０００３】
また、特許文献１に示す従来例においては梱包箱内に収納物である電気かみそりを収納し、この梱包箱の蓋を開いた場合に露出するフラップに収納物である電気かみそりの付属品であるはけを挿入固定するようになっているが、このものにおいては開口部から収納物は見えるが、付属品であるはけは見えず、このため、付属品が収納物と一緒に梱包してあるかどうかを確認するには蓋を開けてフラップ片にはけが挿入固定してあるか否かを確認する必要があり、確認に手間がかかっていた。
【０００４】
また、図１０に示すように、一枚のダンボールから構成した両端が開口部１０’となった角筒状梱包体１１’内に収納物２１を収納し、角筒状梱包体１１’の長手方向の両端部の角部を内側にＬ状に折り曲げて該Ｌ状折り曲げ片５０間に上記収納物２１が位置してＬ状折り曲げ片５０により収納物２１を保持するようにしたものも従来から知られている。
【０００５】
このものは一枚のダンボールで構成した角筒状梱包体１１’自体により収納物２１が移動しないように保持できて、別部材のパッドなどを必要としないが、Ｌ状折り曲げ片５０部分において角筒状梱包体１１’の外面の一部が凹み、このため、角筒状梱包体１１’を積み重ねたり、搬送したり、あるいは取り扱い等がし難いという問題がある。また、Ｌ状折り曲げ片５０は単に内側にＬ状に折り曲げてあるだけなので、折り曲げ先端のコーナ部分が自由端となり、外力を受けるとＬ状折り曲げ片５０が折り曲げ先端のコーナ部分を中心に変形しやすく、収納物２１の保持が確実にできない場合があるという問題がある。また、Ｌ状折り曲げ片５０の内側端部には窓５１が開くが、この窓５１部分に収納物２１の端面が露出して位置することになり、収納物２１が外部から損傷し易いという問題がある。
【０００６】
【特許文献１】
特開平１１−１９８９２８号公報
【特許文献２】
特開平６−４９３２１号公報
【０００７】
【発明が解決しようとする課題】
本発明は上記の点に鑑みてなされたものであり、簡単な構成で内部の収納物を確認できると共に収納物が移動しないように確実に保持でき、しかも、開口部に面していて汚れることがあっても使用に当たって問題がなく、また、簡単な構成で開口部に面下部分が汚れないようにすることもでき、更に、開口部の帯片の巾分の隙間を有効に利用して副収納物や紙製付帯物を配置したり、あるいはどのような電気接続を行うものであるかが開口部から確認でき、また、複数の収納物を一緒に収納したり、あるいは個別に収納したりするのが簡単で選択できると共にいずれの場合でも両開口部に帯状片が存在するようにできる梱包構造を提供することを課題とするものである。
【０００８】
【課題を解決するための手段】
上記課題を解決するために本発明に係る梱包構造は、第１側片１の一側端縁に第１内折れ線２を介して第２側片３を内側に折り曲げ、第２側片３の第１内折れ線２と反対側の側端縁に第２内折れ線４を介して第３側片５を内側に折り曲げ、第３側片５の第２内折れ線４と反対側の側端縁に第３内折れ線６を介して第４側片７を内側に折り曲げ、第４側片７の第３内折れ線６と反対側の側端縁に第４内折れ線８を介して内側保持片９を内側に折り曲げて第１側片１、第２側片３、第３側片５、第４側片７により内部に収納物を収納するための両端部が開口部１０となった角筒状梱包体１１を構成すると共に該角筒状梱包体１１内に内装する収納物２１を内側保持片９で保持するようにした梱包構造であって、展開状態において内側保持片９に第４内折れ線８と直交する一対の切り込み１２を内側保持片９の連出基部１３及び突出先端部１４を残して第４内折れ線８と平行な方向に１対又は複数対設け、内側保持片９の対となった切り込み１２と切り込み１２とに挟まれた部位を第４内折れ線８に近い方と遠い方とに一方が凸片１５となり他方が凹片１６となるように分離するための中間切り込み１７を対となった切り込み１２間に形成し、切り込み１２と内側保持片９の連出方向と直交する方向の側端との間、又は切り込み１２と内側保持片９の連出方向と直交する方向の側端との間及び対となった切り込み１２と隣の対となった切り込み１２との間を帯状片１８とし、該帯状片１８の両端部と内側保持片９の連出基部１３及び内側保持片９の突出先端部１４とを第５内折れ線１９、第６内折れ線２０を介して連続させた構成とし、折り曲げ状態において帯状片１８と内側保持片９の連出基部１３、帯状片１８と内側保持片９の突出先端部１４とをそれぞれ第５内折れ線１９、第６内折れ線２０で内側に折り曲げて、連出基部１３と連続する凸片１５又は凹片１６を第１側片１の内面に沿わせ且つ突出先端部１４と連続する凹片１６又は凸片１５を第２側片３の内面に沿わせ且つ帯状片１８と凸片１５と凹片１６とで角筒状梱包体１１の端部の開口部１０から見た状態で三角形状をなすようにし、隣接する帯状片１８間に収納物２１の一部を嵌め込んで成ることを特徴とするものである。
【０００９】
このような構成とすることで、内部に収納物２１を保持する内側保持片９を有する角筒状梱包体１１を一枚のダンボールを折り曲げて形成できるものであり、しかも、角筒状梱包体１１の内部に位置する角筒状梱包体１１から一体に連出した内側保持片９の対となった帯状片１８間に収納物２１を保持することで、確実に収納物２１が移動しないように保持でき、この場合、連出基部１３と連続する凸片１５又は凹片１６を第１側片１の内面に沿わせ且つ突出先端部１４と連続する凹片１６又は凸片１５を第２側片３の内面に沿わせ且つ帯状片１８と凸片１５と凹片１６とで角筒状梱包体１１の端部の開口部１０から見た状態で三角形状をなすようになっていることで、三角形の一辺をなす帯状片１８の位置がずれたり、変形したりすることなく、正確に収納物２１を保持できるものである。しかも、角筒状梱包体１１の開口部１０から収納物２１を目で確認でき、しかも、開口部１０には帯状片１８が開口部１０を斜めに横切るように位置しているので、開口部１０が開いているといえども斜めに横切る帯状片１８により収納物２１を外力から保護できるものである。また、従来のように角筒状梱包体１１の外面を凹ませることなく内部に収納した収納物２１を保持して移動を防止できるので、梱包体の積み重ね、搬送、取り扱いが容易に行えるものである。
【００１０】
また、隣接する帯状片１８間に嵌め込まれた収納物２１の少なくとも一面を収納物２１の使用状態において外部に露出しない取付け面２１ａとし、収納物２１を隣接する帯状片１８間に嵌め込んだ状態で取付け面２１ａを角筒状梱包体１１の開口部１０側に対向させることが好ましい。角筒状梱包体１１の内部に収納した収納物２１を開口部１０から目で確認できるようにしたものにおいて、開口部１０から侵入したほこりなどで収納物２１の開口部１０に対向した面が汚れたり、あるいは傷ついたりすることが生じても、使用状態において外部に露出しない取付け面２１ａが開口部１０に対向していることで、収納物２１の使用に当たって、汚れたり、傷ついた面が外部に露出することなく、商品としての収納物２１の使用に当たって何ら外観上の支障がないものである。
【００１１】
また、角筒状梱包体１１の開口部１０において収納物２１を透明性の保護材２２により覆うことが好ましい。このような構成とすることで、開口部１０から侵入するほこりなどにより収納物２１が汚れないようにできるものである。
【００１２】
また、収納物２１の開口部１０に対向する面に収納物２１の施工用部品や付属部品等の副収納物２３を収納することが好ましい。このような構成とすることで、開口部１０から収納物２１と副収納物２３の両方の確認ができるものである。
【００１３】
また、収納物２１の開口部１０に対向する面に収納物２１の説明書や保証書のようなクッション性を有する紙製付帯物２４を配置することが好ましい。このような構成とすることで、開口部１０から収納物２１と紙製付帯物２４の両方の確認ができ、また、クッション性を有する紙製付帯物２４により外力から収納物２１を保護できるものである。
【００１４】
また、収納物２１が照明器具であって、角筒状梱包体１１の開口部１０に照明器具の端子台２５又は配線器具部品又は電源線用口出し線を配置することが好ましい。このような構成とすることで、開口部１０に配置した端子台２５又は配線器具部品又は電源線用口出し線を見ることで収納物２１である照明器具の電源線との接続方法が判別できるものである。
【００１５】
また、内側保持片９に対となった切り込み１２を複数対設け、角筒状梱包体１１の展開状態において第１側片１の第１内折れ線２と反対側の側端縁から第１側片１、第２側片３、第３側片５、第４側片７、内側保持片９の第３内折れ線６と反対側の側端縁まで切断可能なミシン目２６を形成し、該ミシン目２６を対となった切り込み１２と隣の対となった切り込み１２との間の帯状片１８の巾方向の中間に形成することが好ましい。このような構成とすることで、ミシン目２６で切断しない場合には複数の収納物２１を角筒状梱包体１１の内部に並べて収納でき、また、収納物２１を個別に収納したい場合にはミシン目２６で切断することで、角筒状梱包体１１内部に収納物２１を個別に収納でき、しかも、いずれの場合にも角筒状梱包体１１の両端部の開口部１０に斜めに横切る帯状片１８が存在するように構成できるものである。
【００１６】
【発明の実施の形態】
以下、本発明を添付図面に示す実施形態に基づいて説明する。
【００１７】
図４には本発明の梱包構造に用いる角筒状梱包体１１の展開図が示してある。角筒状梱包体１１は一枚のダンボールを型取りし、所定の個所に切り込みや折れ線、あるいはミシン目を形成してある。
【００１８】
図４の展開図において、第１側片１の一側端縁に第１内折れ線２を介して第２側片３を連出してあり、第２側片３の第１内折れ線２と反対側の側端縁に第２内折れ線４を介して第３側片５を連出してあり、第３側片５の第２内折れ線４と反対側の側端縁に第３内折れ線６を介して第４側片７を連出してあり、第４側片７の第３内折れ線６と反対側の側端縁に第４内折れ線８を介して内側保持片９を連出してある。
【００１９】
展開状態において、内側保持片９には図４に示すように、第４内折れ線８と直交する一対の切り込み１２が内側保持片９の連出基部１３及び突出先端部１４を残して第４内折れ線８と平行な方向に１対又は複数対設けてある。また、内側保持片９の対となった切り込み１２と切り込み１２とに挟まれた部位には第４内折れ線８に近い方と遠い方とに一方が凸片１５となり他方が凹片１６となるように分離するための中間切り込み１７を対となった切り込み１２間に形成してある。また、切り込み１２と内側保持片９の連出方向と直交する方向の側端との間、又は切り込み１２と内側保持片９の連出方向と直交する方向の側端との間及び対となった切り込み１２と隣の対となった切り込み１２との間が帯状片１８となっている。この帯状片１８の両端部と内側保持片９の連出基部１３及び内側保持片９の突出先端部１４とは第５内折れ線１９、第６内折れ線２０を介して連続させてある。
【００２０】
ここで、図４に示す実施形態では対となった切り込み１２が２対設けてあり、対となった切り込み１２と隣の対となった切り込み１２との間の帯状片１８の巾は内側保持片９の連出方向と直交する方向の両端部（第４内折れ線８と平行な方向の両端部）に位置する切り込み１２と内側保持片９の連出方向と直交する方向（第４内折れ線８と平行な方向）の両端部との間の帯状片１８の２倍の巾となっている。また、図４に示す実施形態では内側保持片９の連出基部１３に連続する方が凹片１６、突出先端部１４に連続する方が凸片１５となっている。図４において、第４内折れ線８から凹片１６の第４内折れ線８と反対側の端部までの長さは、第１側片１、第２側片３、第３側片５、第４側片７をそれぞれ第１内折れ線２、第２内折れ線４、第３内折れ線６で内側に折り曲げて角筒状にした場合、角筒状の内面側における第１の側片１の内面の巾にほぼ沿う長さとなっている。また、突出先端部１４の最先端から凸片１５の先端までの長さは上記のように角筒状にした場合、第２側片３の内面の巾にほぼ沿う長さとなっている。
【００２１】
また、角筒状梱包体１１の展開状態において第１側片１の第１内折れ線２と反対側の側端縁から第１側片１、第２側片３、第３側片５、第４側片７を経て、内側保持片９の第３内折れ線６と反対側の側端縁まで切断可能なミシン目２６を形成してあり、このミシン目２６は対となった切り込み１２と隣の対となった切り込み１２との間の帯状片１８の巾方向の中間に形成してある。
【００２２】
上記のような構成の角筒状梱包体１１は、図４のような展開状態のものを、図３のように第３側片５が底となるように配置した状態で、第３側片５の内面上に収納物２１を載置し、次に、第４側片７を第３側片５に対して第３内折れ線６を介して内側に直角に折り曲げ、第４側片７に対して第４内折れ線８を介して内側保持片９を内側に直角に折り曲げ、更に、帯状片１８と内側保持片９の連出基部１３、帯状片１８と内側保持片９の突出先端部１４とをそれぞれ第５内折れ線１９、第６内折れ線２０でそれぞれ１３５°内側に折り曲げて連出基部１３に連続する凹片１６と突出先端部１４に連続する凸片１５とが直角となるようにすると共に、帯状片１８を斜め４５°に傾斜させ、この斜め４５°に傾斜した帯状片１８間に形成されるはめ込み用開口３０に上記第３側片５の内面上に載置した収納物２１を嵌め込み、次に、第２側片３を第２内折れ線４を介して第３側片５に対して内側に直角に折り曲げると共に第１側片１を第１内折れ線２を介して第２側片３に対して内側に直角に折り曲げて、第１側片１、第２側片３、第３側片５、第４側片７で両端部が開口部１０となった角筒状をした角筒状梱包体１１を組立てて内部に位置する内側保持片９により収納物２１を保持した図１、図２に示すような梱包体を構成するものであり、このような梱包体は直角に隣接する第１側片１の側端部と第４側片７の側端部とにわたって接着テープ３１を貼りつけて角筒状をした形状を保持するようになっている。
【００２３】
ここで、上記折り曲げの際、帯状片１８と内側保持片９の連出基部１３、帯状片１８と内側保持片９の突出先端部１４とをそれぞれ第５内折れ線１９、第６内折れ線２０でそれぞれ１３５°内側に折り曲げてあって、連出基部１３と連続する凸片１５又は凹片１６が第１側片１の内面に沿い且つ突出先端部１４と連続する凹片１６又は凸片１５が第２側片３の内面に沿い（添付図面に示す実施形態では連出基部１３と連続する凹片１６を第１側片１の内面に沿わせ、且つ突出先端部１４と連続する凸片１５を第２側片３の内面に沿い）、この状態で図１、図２に示すように帯状片１８と凸片１５と凹片１６とで角筒状梱包体１１の端部の開口部１０から見た状態で直角三角形状をするように枠組みされることになる。この場合、図１、図２に示す実施形態では前述のように、第４内折れ線８から凹片１６の第４内折れ線８と反対側の端部までの長さが、角筒状梱包体１１の内面側における第１の側片１の内面の巾にほぼ沿う長さとなり、また、突出先端部１４の最先端から凸片１５の先端までの長さが第２側片３の内面の巾にほぼ沿う長さとなっているので、連出基部１３と連続する凹片１６が第１側片１の内面に沿って重複し、且つ突出先端部１４と連続する凸片１５が第２側片３の内面に沿って重複して凸片１５と凹片１６とが第２側片３、第１側片３の巾方向にずれることがなく、したがって、凸片１５と凹片１６と帯状片１８により形成される直角三角形の形状が所定の直角三角形状に保持されることになる。これにより角筒状梱包体１１の第１側片１の巾方向の略中間部分から第２側片３の巾方向の略中間部分にかけて斜めに位置する帯状片１８が位置ずれしたり、変形したりすることなく正確な位置に保持されることになり、斜めに傾斜した帯状片１８により保持された収納物２１が角筒状梱包体１１内で移動することなく所定の位置に確実に保持されると共に、斜めに架け渡された帯状片１８により内側から筋交いの役目をして角筒状梱包体１１の角筒状形状が内側から保形されることになる。
【００２４】
上記のような梱包構造によれば、角筒状梱包体１１の両端部の開口部１０から内部に収納した収納物２１を目視して収納物２１の種類、正しい姿勢で収納してあるか等が確認できるものである。また、開口部１０には上記帯状片１８が開口部１０を斜めに横切るように位置していて開口部１０が開いているといえども斜めに横切る帯状片１８により収納物２１を外力から保護できることになる。また、開口部１０から内部の収納物２１が見えるといえども収納物２１は開口部１０に位置する帯状片１８よりも奥に位置しているので、外部に直接面して露出することがなくて外力により損傷しないものである。更に、従来のように角筒状梱包体１１の外面を凹ませることなく内部に収納した収納物２１を保持して移動を防止できるので、梱包体の積み重ね、搬送、取り扱いが容易に行えることになる。
【００２５】
ここで、角筒状梱包体１１内に収納物２１を収納して帯状片１８間に収納物２１を嵌め込んで梱包するに当たって、収納物２１として使用状態において少なくとも一面が外部に露出しない取付け面２１ａとなったものの場合、該取付け面２１ａが帯状片１８間に嵌め込んだ状態で角筒状梱包体１１の開口部１０側に対向するように梱包する。このようにすると、角筒状梱包体１１の内部に収納した収納物２１を開口部１０から目で確認できるようにしたものにおいて、仮に、開口部１０から侵入したほこりなどで収納物２１の開口部１０に対向した面が汚れたり、外部光線で変色したり、あるいは傷ついたりすることが生じても、使用状態において外部に露出しない取付け面２１ａが開口部１０に対向していることで、収納物２１の使用に当たって、汚れたり、傷ついた面が外部に露出することなく、商品としての収納物２１の使用に当たって何ら外観上の支障がないものである。例えば、収納物２１として一面が取付け面２１ａとなった外形が直方体形状をした照明器具であって、取付け面２１ａを壁や天井に取付けて施工することで、使用時に見える面（取付け面２１ａ以外の面）の外観を損なわないものである。
【００２６】
もちろん、角筒状梱包体１１の開口部１０において収納物２１を透明性のシートや袋よりなる保護材２２により覆うようにしてもよい。この場合、収納物２１の開口部１０と対向する面部分のみを保護材２２により覆ったり、あるいは、図３に示すように収納物２１全体を保護材２２により覆ったり、あるいは角筒状梱包体１１の全体を保護材２２により覆ったり、あるいは角筒状梱包体１１の開口部１０のみを保護材２２で覆ったりしてもよいものである。このような構成とすることで、開口部１０から侵入するほこりなどにより収納物２１が汚れないようにできる。なお、図１、図５乃至図９において保護材２０を図面上省略しているが、実際は前述のように保護材２２で覆うものである。
【００２７】
また、図５に示すように、収納物２１の開口部１０と対向する面に収納物２１の施工用部品や付属部品であるねじや電源線保護チューブ等の副収納物２３を配置する。この場合、上記開口部１０に対向する収納物２１の取付け面２１ａに上記副収納物２３を配置して同梱する。こうすることで、開口部１０から収納物２１、副収納物２３両方の確認ができるものである。
【００２８】
また、図６に示すように、収納物２１の開口部１０と対向する面に収納物２１の説明書や保証書のようなクッション性を有する紙製付帯物２４を配置して同梱するようにしてもよい。こうすることで、開口部１０から収納物２１と紙製付帯物２４との両方を確認できると共に、該クッション性を有する紙製付帯物２４により外力から収納物２１を保護できるものである。
【００２９】
ここで、角筒状梱包体１１の両端部の開口部１０のうち、一方の開口部１０内に副収納物２３を収納し、他方の開口部１０内にクッション性を有する紙製付帯物２４を収納するようにしてもよい。
【００３０】
図９に示す実施形態においては、角筒状梱包体１１内に複数の収納物２１を収納する例につき説明したが、ミシン目２６に沿って切断すると、角筒状梱包体１１を長手方向に複数個に分割して収納物２１を１つずつ梱包できるものである。この場合、ミシン目２６が対となった切り込み１２と隣の対となった切り込み１２との間の帯状片１８の巾方向の中間に形成してあるので、ミシン目２６で切断して分割した角筒状梱包体１１の両端部の開口部１０に斜めに横切る帯状片１８が存在し、前述の開口部１０に存在する帯状片１８による効果を発揮できるものである。
【００３１】
ところで、収納物２１が照明器具の場合、図９に示すように角筒状梱包体１１の開口部１０に照明器具の端子台２５又は配線器具部品又は電源線用口出し線を配置するようにすると、開口部１０に配置した端子台２５又は配線器具部品又は電源線用口出し線を見ることで収納物２１である照明器具の電源線との接続方法が判別でき、施工準備作業が容易となるものである。つまり、開梱することなく、どのような接続方法であるかが判り、施工に当たってどのような接続工事が必要であるかという施工準備作業が容易に行えるものである。
【００３２】
図７には角筒状梱包体１１内に重心が上下方向の中心から下方にずれた収納物２１を収納した例であり、このように重心が上下方向の中心から下方にずれた収納物２１であっても、角筒状梱包体１１の開口部１０から収納物２１の重心位置が容易に判別できるため、運搬、保管時の天地方向を間違えられることがなく、荷崩れや偏荷重による変形等も防止できる。
【００３３】
また、角筒状梱包体１１の断面形状を図８のように略台形や多角形にすれば天地方向が判り易くなって、より効果的である。
【００３４】
なお、上記実施形態ではミシン目２６を設けた例を示したが、ミシン目２６を設けないものであってもよく、また、内側保持片９に対となった切り込み１２を複数対設けた例を示したが、内側保持片９に対となった切り込み１２を一対のみ設けたもの、つまり、一つの収納物２１を収納するようにしたものであってもよいものである。
【００３５】
【発明の効果】
上記のように本発明の請求項１記載の発明にあっては、折り曲げ状態において帯状片と内側保持片の連出基部、帯状片と内側保持片の突出先端部とをそれぞれ第５内折れ線、第６内折れ線で内側に折り曲げて、連出基部と連続する凸片又は凹片を第１側片の内面に沿わせ且つ突出先端部と連続する凹片又は凸片を第２側片の内面に沿わせ且つ帯状片と凸片と凹片とで角筒状梱包体の端部の開口部から見た状態で三角形状をするようにし、隣接する帯状片間に収納物の一部を嵌め込んであるので、内部に収納物を保持する内側保持片を有する角筒状梱包体を一枚のダンボールを折り曲げて形成でき、しかも、収納物が移動しないように内側保持片により確実に保持でき、この場合、連出基部と連続する凸片又は凹片を第１側片の内面に沿わせ且つ突出先端部と連続する凹片又は凸片を第２側片の内面に沿わせ且つ帯状片と凸片と凹片とで角筒状梱包体の端部の開口部から見た状態で三角形状をするようになっていることで、三角形の一辺をなす帯状片の位置がずれたり、変形したりすることなく、正確に収納物を保持できるものであり、また、角筒状梱包体の開口部から収納物を目で確認でき、しかも、開口部には帯状片が開口部を斜めに横切るように位置しているので、開口部が開いているといえども斜めに横切る帯状片により収納物を外力から保護できるものであり、また、従来のように角筒状梱包体の外面を凹ませることなく内部に収納した収納物を保持して移動を防止できるので、梱包体の積み重ね、搬送、取り扱いが容易に行えるものである。
【００３６】
また、請求項２記載の発明にあっては、上記請求項１記載の発明の効果に加えて、隣接する帯状片間に嵌め込まれた収納物の少なくとも一面を収納物の使用状態において外部に露出しない取付け面とし、収納物を隣接する帯状片間に嵌め込んだ状態で取付け面を角筒状梱包体の開口部側に対向させるので、開口部から侵入したほこりなどで収納物の開口部に対向した面が汚れたり、あるいは傷ついたりすることが生じても、収納物の使用に当たって、汚れたり、傷ついた面が外部に露出することなく、商品としての収納物の使用に当たって何ら外観上の支障がないものである。
【００３７】
また、請求項３記載の発明にあっては、上記請求項１又は請求項２記載の発明の効果に加えて、角筒状梱包体の開口部において収納物を透明性の保護材により覆ってあるので、開口部から侵入するほこりなどにより収納物が汚れないようにできるものである。
【００３８】
また、請求項４記載の発明にあっては、上記請求項１乃至請求項３のいずれかに記載の発明の効果に加えて、収納物の開口部に対向する面に収納物の施工用部品や付属部品等の副収納物を収納してあるので、開口部から収納物と副収納物の両方の確認ができるものである。
【００３９】
また、請求項５記載の発明にあっては、上記請求項１乃至請求項４のいずれかに記載の発明の効果に加えて、収納物の開口部に対向する面に収納物の説明書や保証書のようなクッション性を有する紙製付帯物を配置してあるので、開口部から収納物と紙製付帯物の両方の確認ができ、また、クッション性を有する紙製付帯物により外力から収納物を保護できるものである。
【００４０】
また、請求項６記載の発明にあっては、上記請求項１乃至請求項５のいずれかに記載の発明の効果に加えて、収納物が照明器具であって、角筒状梱包体の開口部に照明器具の端子台又は配線器具部品又は電源線用口出し線を配置してあるので、開口部に配置した端子台又は配線器具部品又は電源線用口出し線を見ることで収納物である照明器具の電源線との接続方法が判別できるものである。
【００４１】
また、請求項７記載の発明にあっては、上記請求項１乃至請求項６のいずれかに記載の発明の効果に加えて、内側保持片に対となった切り込みを複数対設け、角筒状梱包体の展開状態において第１側片の第１内折れ線と反対側の側端縁から第１側片、第２側片、第３側片、第４側片、内側保持片の第３内折れ線と反対側の側端縁まで切断可能なミシン目を形成し、該ミシン目を対となった切り込みと隣の対となった切り込みとの間の帯状片の巾方向の中間に形成してあるので、ミシン目で切断しない場合には複数の収納物を角筒状梱包体の内部に並べて収納でき、また、収納物を個別に収納したい場合にはミシン目で切断することで、角筒状梱包体内部に収納物を個別に収納でき、しかも、いずれの場合にも角筒状梱包体の両端部の開口部に斜めに横切る帯状片が存在するように構成できるものである。
【図面の簡単な説明】
【図１】本発明の角筒状梱包体に収納物を収納している状態の斜視図である。
【図２】同上の断面図である。
【図３】同上の梱包途中の状態を示す斜視図である。
【図４】同上の角筒状梱包体の展開図である。
【図５】同上の収納物の開口部と対向する面に副収納物を配置して梱包した例を示す斜視図である。
【図６】同上の収納物の開口部と対向する面にクッション性を有する紙製付帯物を配置して梱包した例を示す斜視図である。
【図７】本発明の他の実施形態の斜視図である。
【図８】同上の更に他の実施形態の斜視図である。
【図９】同上の角筒状梱包体をミシン目で切断して分割した例を示す斜視図である。
【図１０】従来例を示す斜視図である。
【符号の説明】
１  第１側片
２  第１内折れ線
３  第２側片
４  第２内折れ線
５  第３側片
６  第３内折れ線
７  第４側片
８  第４内折れ線
９  内側保持片
１０  開口部
１１  角筒状梱包体
１２  切り込み
１３  連出基部
１４  突出先端部
１５  凸片
１６  凹片
１７  中間切り込み
１８  帯状片
１９  第５内折れ線
２０  第６内折れ線
２１  収納物
２２  保護材
２３  副収納物
２４  紙製付帯物
２５  端子台
２６  ミシン目
【図１】
2004262493.tif 000003
【図２】
2004262493.tif 000004
【図３】
2004262493.tif 000005
【図４】
2004262493.tif 000006
【図５】
2004262493.tif 000007
【図６】
2004262493.tif 000008
【図７】
2004262493.tif 000009
【図８】
2004262493.tif 000010
【図９】
2004262493.tif 000011
【図１０】
2004262493.tif 000012